(57)【要約】【課題】  ＯＴＰ方式の如く外周部から内周部へ向けて記録するような多層構造の光記録媒体の場合においても記録開始位置から良好なる記録品質が得られるようにする。【解決手段】  記録動作開始に先立ち、光記録媒体の試し書き領域に対して照射する記録パワーを段階的に可変しながら試し書きをし試し書きされたデータの再生信号に基づき最適記録パワーを求め（Ｓ１２）、求められた最適記録パワーを記録開始位置に応じて補正し（Ｓ１４）、補正された最適記録パワーを用いて記録動作を開始させる（Ｓ１５）ことで、内周部の試し書き領域から離れた外周側位置から記録動作を開始させる場合でも記録動作開始時から良好なる記録品質が得られる記録動作を行わせることができるようにした。【選択図】    図７
2006127593.tif 000002
【特許請求の範囲】
【請求項１】
多層構造の光記録媒体にレーザ光を照射して情報の記録を行う情報記録方法において、
記録動作開始に先立ち、前記光記録媒体の試し書き領域に対して照射する記録パワーを段階的に可変しながら試し書きをし試し書きされたデータの再生信号に基づき最適記録パワーを求める試し書き処理工程と、
求められた前記最適記録パワーを記録開始位置に応じて補正し補正された最適記録パワーを用いて記録動作を開始させる記録パワー調整工程と、
を備えることを特徴とする情報記録方法。
【請求項２】
前記試し書き処理工程は、前記光記録媒体の記録対象となる記録層の内周部に位置する前記試し書き領域に対して試し書きを行い、
前記記録パワー調整工程は、外周部から内周部に向けて記録する記録層に対する記録時にその記録開始位置に応じて前記最適記録パワーを補正する、
ことを特徴とする請求項１記載の情報記録方法。
【請求項３】
記録動作中に試し書きをし試し書きされたデータの再生信号に基づき最適記録パワーを求めるランニング試し書き処理工程を備え、
前記記録パワー調整工程は、記録動作開始後の記録パワーを前記ランニング試し書き処理工程により求められた前記最適記録パワーに補正する、
ことを特徴とする請求項２記載の情報記録方法。
【請求項４】
前記記録パワー調整工程は、記録開始位置に応じて補正する補正量を可変させる、ことを特徴とする請求項２又は３記載の情報記録方法。
【請求項５】
前記記録パワー調整工程は、記録開始する光記録媒体上の半径位置に応じた直線近似に従い可変させる補正量を求める、ことを特徴とする請求項４記載の情報記録方法。
【請求項６】
前記記録パワー調整工程は、記録開始位置が光記録媒体の所定の半径位置より外周側位置の場合のみ、最適記録パワーの補正を行う、ことを特徴とする請求項４記載の情報記録方法。
【請求項７】
前記記録パワー調整工程は、前記光記録媒体の種別に応じて記録パワーの補正量を可変させる、ことを特徴とする請求項１ないし６の何れか一記載の情報記録方法。
【請求項８】
前記記録パワー調整工程は、情報記録装置の製造時に予め不揮発性メモリに格納されている記録パワーの補正量を参照して記録パワーの補正量を可変させる、ことを特徴とする請求項１ないし７の何れか一記載の情報記録方法。
【請求項９】
前記試し書き処理工程は、前記光記録媒体の記録対象となる記録層の内周部に位置する前記試し書き領域と外周部に位置する前記試し書き領域とに対して試し書きを行い各々の最適記録パワーを求め、
前記記録パワー調整工程は、外周部から内周部に向けて記録する記録層に対する記録時に前記内周部の前記試し書き領域で求められた前記最適記録パワーを記録開始位置に応じて前記外周部の前記試し書き領域で求められた前記最適記録パワーを参照して補正する、
ことを特徴とする請求項１記載の情報記録方法。
【請求項１０】
前記記録パワー調整工程は、前記内周部の前記試し書き領域で求められた前記最適記録パワーと前記外周部の前記試し書き領域で求められた前記最適記録パワーとの直線近似に従い、記録開始する光記録媒体上の半径位置に応じて可変させる補正量を求める、ことを特徴とする請求項９記載の情報記録方法。
【請求項１１】
前記記録パワー調整工程は、記録開始位置が光記録媒体の所定の半径位置より外周側位置の場合のみ、前記内周部の前記試し書き領域で求められた前記最適記録パワーと前記外周部の前記試し書き領域で求められた前記最適記録パワーとの差分を用いて最適記録パワーの補正を行う、ことを特徴とする請求項９記載の情報記録方法。
【請求項１２】
前記試し書き処理工程は、記録開始位置が最外周位置の場合には前記光記録媒体の記録対象となる記録層の外周部に位置する前記試し書き領域に対してのみ試し書きを行い最適記録パワーを求め、
前記記録パワー調整工程は、前記試し書き処理工程で求められた前記最適記録パワーを用いて記録動作を開始させる、
ことを特徴とする請求項９記載の情報記録方法。
【請求項１３】
多層構造の前記光記録媒体が、ＤＶＤ＋Ｒ規格に準拠し、オポジットトラックパス（ＯＴＰ）方式で記録される複数の記録層を有する光記録媒体であり、
前記試し書き処理工程及び前記記録パワー調整工程は、前記光記録媒体の外周部から内周部に向けて記録する記録層を対象とする場合に前記処理を行う、ことを特徴とする請求項１ないし１２の何れか一記載の情報記録方法。
【請求項１４】
多層構造の光記録媒体にレーザ光を照射して情報の記録を行う情報記録装置において、
記録動作開始に先立ち、前記光記録媒体の試し書き領域に対して照射する記録パワーを段階的に可変しながら試し書きをし試し書きされたデータの再生信号に基づき最適記録パワーを求める試し書き処理手段と、
求められた前記最適記録パワーを記録開始位置に応じて補正し補正された最適記録パワーを用いて記録動作を開始させる記録パワー調整手段と、
を備えることを特徴とする情報記録装置。
【請求項１５】
前記試し書き処理手段は、前記光記録媒体の記録対象となる記録層の内周部に位置する前記試し書き領域に対して試し書きを行い、
前記記録パワー調整手段は、外周部から内周部に向けて記録する記録層に対する記録時にその記録開始位置に応じて前記最適記録パワーを補正する、
ことを特徴とする請求項１４記載の情報記録装置。
【請求項１６】
記録動作中に試し書きをし試し書きされたデータの再生信号に基づき最適記録パワーを求めるランニング試し書き処理手段を備え、
前記記録パワー調整手段は、記録動作開始後の記録パワーを前記ランニング試し書き処理工程により求められた前記最適記録パワーに補正する、
ことを特徴とする請求項１５記載の情報記録装置。
【請求項１７】
前記記録パワー調整手段は、記録開始位置に応じて補正する補正量を可変させる、ことを特徴とする請求項１５又は１６記載の情報記録装置。
【請求項１８】
前記記録パワー調整手段は、記録開始する光記録媒体上の半径位置に応じた直線近似に従い可変させる補正量を求める、ことを特徴とする請求項１７記載の情報記録装置。
【請求項１９】
前記記録パワー調整手段は、記録開始位置が光記録媒体の所定の半径位置より外周側位置の場合のみ、最適記録パワーの補正を行う、ことを特徴とする請求項１７記載の情報記録装置。
【請求項２０】
装填された前記光記録媒体の種別を判別する手段を備え、
前記記録パワー調整手段は、判別された前記光記録媒体の種別に応じて記録パワーの補正量を可変させる、ことを特徴とする請求項１４ないし１９の何れか一記載の情報記録装置。
【請求項２１】
不揮発性メモリを備え、
前記記録パワー調整手段は、情報記録装置の製造時に予め前記不揮発性メモリに格納されている記録パワーの補正量を参照して記録パワーの補正量を可変させる、ことを特徴とする請求項１４ないし１９の何れか一記載の情報記録装置。
【請求項２２】
前記試し書き処理手段は、前記光記録媒体の記録対象となる記録層の内周部に位置する前記試し書き領域と外周部に位置する前記試し書き領域とに対して試し書きを行い各々の最適記録パワーを求め、
前記記録パワー調整手段は、外周部から内周部に向けて記録する記録層に対する記録時に前記内周部の前記試し書き領域で求められた前記最適記録パワーを記録開始位置に応じて前記外周部の前記試し書き領域で求められた前記最適記録パワーを参照して補正する、
ことを特徴とする請求項１４記載の情報記録装置。
【請求項２３】
前記記録パワー調整手段は、前記内周部の前記試し書き領域で求められた前記最適記録パワーと前記外周部の前記試し書き領域で求められた前記最適記録パワーとの直線近似に従い、記録開始する光記録媒体上の半径位置に応じて可変させる補正量を求める、ことを特徴とする請求項２２記載の情報記録装置。
【請求項２４】
前記記録パワー調整手段は、記録開始位置が光記録媒体の所定の半径位置より外周側位置の場合のみ、前記内周部の前記試し書き領域で求められた前記最適記録パワーと前記外周部の前記試し書き領域で求められた前記最適記録パワーとの差分を用いて最適記録パワーの補正を行う、ことを特徴とする請求項２２記載の情報記録装置。
【請求項２５】
前記試し書き処理手段は、記録開始位置が最外周位置の場合には前記光記録媒体の記録対象となる記録層の外周部に位置する前記試し書き領域に対してのみ試し書きを行い最適記録パワーを求め、
前記記録パワー調整手段は、前記試し書き処理工程で求められた前記最適記録パワーを用いて記録動作を開始させる、
ことを特徴とする請求項２２記載の情報記録装置。
【請求項２６】
多層構造の前記光記録媒体が、ＤＶＤ＋Ｒ規格に準拠し、オポジットトラックパス（ＯＴＰ）方式で記録される複数の記録層を有する光記録媒体であり、
前記試し書き処理手段及び前記記録パワー調整手段は、前記光記録媒体の外周部から内周部に向けて記録する記録層を対象とする場合に前記処理を行う、ことを特徴とする請求項１４ないし２５の何れか一記載の情報記録装置。
【発明の詳細な説明】
【技術分野】
【０００１】
本発明は、記録可能な光記録媒体、特に外周側から内周側に向けて記録を行う記録層を有する多層構造の光記録媒体に対する情報記録方法及び情報記録装置に関する。
【背景技術】
【０００２】
ＤＶＤ（Digital Versatile Disc）などの光ディスクでは、記録層を２層以上設けた多層構造とすることで記憶容量を拡大することができる。また、このような多層構造の光ディスクに対するアクセスを片面から行い、光ピックアップの光ビームの焦点を各々の記録層に合わせることで記録・再生が可能になる。これにより、光ディスクを裏返すことなく大容量の記録・再生ができる。ＤＶＤでは以前から再生専用タイプ（ＲＯＭ）の２層ディスクが広く用いられているが、最近ではこれと同等の記録容量を持つ記録可能なＤＶＤ＋Ｒ ＤＬ（Double Layer）が実用化されている。
【０００３】
ＤＶＤ＋Ｒ ＤＬのような多層構造の光記録媒体に関して、特許文献１によれば、情報を記録するデータ領域と同層の試し書き領域に記録パワーの試し書きを行って最適記録パワーを求めるようにした記録再生装置ないしは最適記録パワー値決定方法が提案されている。
【０００４】
【特許文献１】特開２０００−３１１３４６公報
【発明の開示】
【発明が解決しようとする課題】
【０００５】
ＤＶＤ＋Ｒ ＤＬフォーマットでは、オポジットトラックパスＯＴＰ（Opposite track Path）方式と呼ばれる記録形式が用いられている。ＯＴＰ方式の場合、第１の記録層Layer0（レーザ照射面側の記録層）は従来通り内周側から外周側にスパイラル方向が向かっているが、第２の記録層Layer1はスパイラル方向が外周側から内周側に向かっているため、第２の記録層Layer1の記録・再生動作は外周側から内周側へ向けて行われることになる。
【０００６】
従って、例えば特許文献１等に示されるように記録対象となる記録層において、内周部の試し書き領域（Inner Disc Test Zone）で試し書き処理であるＯＰＣ（Optimum Power Control）を行っても、記録開始位置は外周部からとなるため、光ディスクの最適パワーの内外差により記録品質が悪くなってしまうことがある。
【０００７】
さらに、多層ディスクは記録層が複数ある分、単層ディスクに比べて最外周の膜特性を内周部のそれと均一にすることは非常に困難である。これは、特にレーザ照射面から見て奥側に位置する第２の記録層Layer1で顕著であり、一般に最外周の記録パワーは内周部より高く必要となる。この要因としては、光ディスクの複屈折によるレーザ発光の変化、光ピックアップの非点収差の影響、光ディスクの反り(チルト)などがある。また、この影響は光ディスクの種類やドライブ（光ピックアップ）によっても異なる。
【０００８】
本発明の目的は、例えばＯＴＰ方式の如く外周部から内周部へ向けて記録するような多層構造の光記録媒体の場合においても記録開始位置から良好なる記録品質が得られるようにすることである。
【課題を解決するための手段】
【０００９】
請求項１記載の発明は、多層構造の光記録媒体にレーザ光を照射して情報の記録を行う情報記録方法において、記録動作開始に先立ち、前記光記録媒体の試し書き領域に対して照射する記録パワーを段階的に可変しながら試し書きをし試し書きされたデータの再生信号に基づき最適記録パワーを求める試し書き処理工程と、求められた前記最適記録パワーを記録開始位置に応じて補正し補正された最適記録パワーを用いて記録動作を開始させる記録パワー調整工程と、を備える。
【００１０】
請求項２記載の発明は、請求項１記載の情報記録方法において、前記試し書き処理工程は、前記光記録媒体の記録対象となる記録層の内周部に位置する前記試し書き領域に対して試し書きを行い、前記記録パワー調整工程は、外周部から内周部に向けて記録する記録層に対する記録時にその記録開始位置に応じて前記最適記録パワーを補正する。
【００１１】
請求項３記載の発明は、請求項２記載の情報記録方法において、記録動作中に試し書きをし試し書きされたデータの再生信号に基づき最適記録パワーを求めるランニング試し書き処理工程を備え、前記記録パワー調整工程は、記録動作開始後の記録パワーを前記ランニング試し書き処理工程により求められた前記最適記録パワーに補正する。
【００１２】
請求項４記載の発明は、請求項２又は３記載の情報記録方法において、前記記録パワー調整工程は、記録開始位置に応じて補正する補正量を可変させる。
【００１３】
請求項５記載の発明は、請求項４記載の情報記録方法において、前記記録パワー調整工程は、記録開始する光記録媒体上の半径位置に応じた直線近似に従い可変させる補正量を求める。
【００１４】
請求項６記載の発明は、請求項４記載の情報記録方法において、前記記録パワー調整工程は、記録開始位置が光記録媒体の所定の半径位置より外周側位置の場合のみ、最適記録パワーの補正を行う。
【００１５】
請求項７記載の発明は、請求項１ないし６の何れか一記載の情報記録方法において、前記記録パワー調整工程は、前記光記録媒体の種別に応じて記録パワーの補正量を可変させる。
【００１６】
請求項８記載の発明は、請求項１ないし７の何れか一記載の情報記録方法において、前記記録パワー調整工程は、情報記録装置の製造時に予め不揮発性メモリに格納されている記録パワーの補正量を参照して記録パワーの補正量を可変させる。
【００１７】
請求項９記載の発明は、請求項１記載の情報記録方法において、前記試し書き処理工程は、前記光記録媒体の記録対象となる記録層の内周部に位置する前記試し書き領域と外周部に位置する前記試し書き領域とに対して試し書きを行い各々の最適記録パワーを求め、前記記録パワー調整工程は、外周部から内周部に向けて記録する記録層に対する記録時に前記内周部の前記試し書き領域で求められた前記最適記録パワーを記録開始位置に応じて前記外周部の前記試し書き領域で求められた前記最適記録パワーを参照して補正する。
【００１８】
請求項１０記載の発明は、請求項９記載の情報記録方法において、前記記録パワー調整工程は、前記内周部の前記試し書き領域で求められた前記最適記録パワーと前記外周部の前記試し書き領域で求められた前記最適記録パワーとの直線近似に従い、記録開始する光記録媒体上の半径位置に応じて可変させる補正量を求める。
【００１９】
請求項１１記載の発明は、請求項９記載の情報記録方法において、前記記録パワー調整工程は、記録開始位置が光記録媒体の所定の半径位置より外周側位置の場合のみ、前記内周部の前記試し書き領域で求められた前記最適記録パワーと前記外周部の前記試し書き領域で求められた前記最適記録パワーとの差分を用いて最適記録パワーの補正を行う。
【００２０】
請求項１２記載の発明は、請求項９記載の情報記録方法において、前記試し書き処理工程は、記録開始位置が最外周位置の場合には前記光記録媒体の記録対象となる記録層の外周部に位置する前記試し書き領域に対してのみ試し書きを行い最適記録パワーを求め、前記記録パワー調整工程は、前記試し書き処理工程で求められた前記最適記録パワーを用いて記録動作を開始させる。
【００２１】
請求項１３記載の発明は、請求項１ないし１２の何れか一記載の情報記録方法において、多層構造の前記光記録媒体が、ＤＶＤ＋Ｒ規格に準拠し、オポジットトラックパス（ＯＴＰ）方式で記録される複数の記録層を有する光記録媒体であり、前記試し書き処理工程及び前記記録パワー調整工程は、前記光記録媒体の外周部から内周部に向けて記録する記録層を対象とする場合に前記処理を行う。
【００２２】
請求項１４記載の発明は、多層構造の光記録媒体にレーザ光を照射して情報の記録を行う情報記録装置において、記録動作開始に先立ち、前記光記録媒体の試し書き領域に対して照射する記録パワーを段階的に可変しながら試し書きをし試し書きされたデータの再生信号に基づき最適記録パワーを求める試し書き処理手段と、求められた前記最適記録パワーを記録開始位置に応じて補正し補正された最適記録パワーを用いて記録動作を開始させる記録パワー調整手段と、を備える。
【００２３】
請求項１５記載の発明は、請求項１４記載の情報記録装置において、前記試し書き処理手段は、前記光記録媒体の記録対象となる記録層の内周部に位置する前記試し書き領域に対して試し書きを行い、前記記録パワー調整手段は、外周部から内周部に向けて記録する記録層に対する記録時にその記録開始位置に応じて前記最適記録パワーを補正する。
【００２４】
請求項１６記載の発明は、請求項１５記載の情報記録装置において、記録動作中に試し書きをし試し書きされたデータの再生信号に基づき最適記録パワーを求めるランニング試し書き処理手段を備え、前記記録パワー調整手段は、記録動作開始後の記録パワーを前記ランニング試し書き処理工程により求められた前記最適記録パワーに補正する。
【００２５】
請求項１７記載の発明は、請求項１５又は１６記載の情報記録装置において、前記記録パワー調整手段は、記録開始位置に応じて補正する補正量を可変させる。
【００２６】
請求項１８記載の発明は、請求項１７記載の情報記録装置において、前記記録パワー調整手段は、記録開始する光記録媒体上の半径位置に応じた直線近似に従い可変させる補正量を求める。
【００２７】
請求項１９記載の発明は、請求項１７記載の情報記録装置において、前記記録パワー調整手段は、記録開始位置が光記録媒体の所定の半径位置より外周側位置の場合のみ、最適記録パワーの補正を行う。
【００２８】
請求項２０記載の発明は、請求項１４ないし１９の何れか一記載の情報記録装置において、装填された前記光記録媒体の種別を判別する手段を備え、前記記録パワー調整手段は、判別された前記光記録媒体の種別に応じて記録パワーの補正量を可変させる。
【００２９】
請求項２１記載の発明は、請求項１４ないし１９の何れか一記載の情報記録装置において、不揮発性メモリを備え、前記記録パワー調整手段は、情報記録装置の製造時に予め前記不揮発性メモリに格納されている記録パワーの補正量を参照して記録パワーの補正量を可変させる。
【００３０】
請求項２２記載の発明は、請求項１４記載の情報記録装置において、前記試し書き処理手段は、前記光記録媒体の記録対象となる記録層の内周部に位置する前記試し書き領域と外周部に位置する前記試し書き領域とに対して試し書きを行い各々の最適記録パワーを求め、前記記録パワー調整手段は、外周部から内周部に向けて記録する記録層に対する記録時に前記内周部の前記試し書き領域で求められた前記最適記録パワーを記録開始位置に応じて前記外周部の前記試し書き領域で求められた前記最適記録パワーを参照して補正する。
【００３１】
請求項２３記載の発明は、請求項２２記載の情報記録装置において、前記記録パワー調整手段は、前記内周部の前記試し書き領域で求められた前記最適記録パワーと前記外周部の前記試し書き領域で求められた前記最適記録パワーとの直線近似に従い、記録開始する光記録媒体上の半径位置に応じて可変させる補正量を求める。
【００３２】
請求項２４記載の発明は、請求項２２記載の情報記録装置において、前記記録パワー調整手段は、記録開始位置が光記録媒体の所定の半径位置より外周側位置の場合のみ、前記内周部の前記試し書き領域で求められた前記最適記録パワーと前記外周部の前記試し書き領域で求められた前記最適記録パワーとの差分を用いて最適記録パワーの補正を行う。
【００３３】
請求項２５記載の発明は、請求項２２記載の情報記録装置において、前記試し書き処理手段は、記録開始位置が最外周位置の場合には前記光記録媒体の記録対象となる記録層の外周部に位置する前記試し書き領域に対してのみ試し書きを行い最適記録パワーを求め、前記記録パワー調整手段は、前記試し書き処理工程で求められた前記最適記録パワーを用いて記録動作を開始させる。
【００３４】
請求項２６記載の発明は、請求項１４ないし２５の何れか一記載の情報記録装置において、多層構造の前記光記録媒体が、ＤＶＤ＋Ｒ規格に準拠し、オポジットトラックパス（ＯＴＰ）方式で記録される複数の記録層を有する光記録媒体であり、前記試し書き処理手段及び前記記録パワー調整手段は、前記光記録媒体の外周部から内周部に向けて記録する記録層を対象とする場合に前記処理を行う。
【発明の効果】
【００３５】
請求項１，１４記載の発明によれば、試し書き処理により求められた最適記録パワーを記録開始位置に応じて補正し、補正された最適記録パワーを用いて記録開始位置から記録動作を開始させるので、試し書き領域から離れた位置から記録動作を開始させる場合でも記録動作開始時から良好なる記録品質が得られる記録動作を行わせることができる。
【００３６】
請求項２，１５記載の発明によれば、内周部の試し書き領域での試し書きにより得られた最適記録パワーを記録開始位置に応じて補正し、補正された最適記録パワーを用いて記録開始位置から記録動作を開始させるので、内周部の試し書き領域から離れた外周部側から記録動作を開始させる場合でも記録動作開始時から良好なる記録品質が得られる記録動作を行わせることができる。
【００３７】
請求項３，１６記載の発明によれば、記録動作開始後の記録パワーはランニング試し書き処理により求められた最適記録パワーに補正するようにしたので、記録動作開始後は光記録媒体面内の変動に応じた最適記録パワーで記録することで良好なる記録品質を維持することができる。
【００３８】
請求項４，１７記載の発明によれば、記録開始位置に応じて補正する補正量を可変させるようにしたので、追記時等のように記録層の途中から記録動作を開始させる場合であっても記録動作開始時から良好なる記録品質が得られる記録動作を行わせることができる。
【００３９】
請求項５，１８記載の発明によれば、記録開始する光記録媒体上の半径位置に応じた直線近似に従い可変させる補正量を求めるようにしたので、記録開始位置に応じて記録パワーを最適化することができ、記録動作開始時から良好なる記録品質が得られる記録動作を行わせることができる。
【００４０】
請求項６，１９記載の発明によれば、記録開始位置が所定の半径位置より外周側位置の場合のみ、記録開始時の記録パワーの補正を行うようにしたので、不必要な記録パワー補正を避けつつ、任意の記録開始位置から良好な記録品質を得ることができる。
【００４１】
請求項７，２０記載の発明によれば、光記録媒体の製造メーカ、種類等の媒体種別に応じて記録パワーの補正量を可変させるようにしたので、記録対象となる光記録媒体の種別に応じて最適な記録パワーで記録開始位置からの記録動作を行わせることができ、良好なる記録品質を得ることができる。
【００４２】
請求項８，２１記載の発明によれば、情報記録装置毎にその製造段階において記録開始パワー補正量を求めて不揮発性メモリに保存しておき、記録動作開始時に参照して記録パワーの補正量を可変させるようにしたので、装置毎のばらつきを吸収し、良好な記録品質を得ることができる。
【００４３】
請求項９，２２記載の発明によれば、記録対象となる記録層の内周部、外周部の両方の試し書き領域で試し書きを行い各々の最適記録パワーを求め、記録動作開始時には内周部の試し書き領域で求められた最適記録パワーを記録開始位置に応じて外周部の試し書き領域で求められた最適記録パワーを参照して補正するようにしたので、内周部の試し書き領域から離れた外周部側から記録動作を開始させる場合でも記録動作開始時から良好なる記録品質が得られる記録動作を行わせることができる。
【００４４】
請求項１０，２３記載の発明によれば、内周部の試し書き領域で求められた最適記録パワーと外周部の試し書き領域で求められた最適記録パワーとの直線近似に従い、記録開始する光記録媒体上の半径位置に応じて可変させる補正量を求めるようにしたので、記録開始位置に応じて記録パワーを最適化することができ、記録動作開始時から良好なる記録品質が得られる記録動作を行わせることができる。
【００４５】
請求項１１，２４記載の発明によれば、記録開始位置が光記録媒体の所定の半径位置より外周側位置の場合のみ、内周部の試し書き領域で求められた最適記録パワーと外周部の試し書き領域で求められた最適記録パワーとの差分を用いて最適記録パワーの補正を行うようにしたので、不必要な記録パワー補正を避けつつ、任意の記録開始位置から良好な記録品質を得ることができる。
【００４６】
請求項１２，２５記載の発明によれば、記録開始位置が最外周位置の場合には光記録媒体の記録対象となる記録層の外周部に位置する試し書き領域に対してのみ試し書きを行い最適記録パワーを求め、求められた最適記録パワーを用いて記録動作を開始させるようにしたので、記録開始位置が最外周位置の場合には内周部に位置する試し書き領域での試し書き処理を行わない分、試し書き処理に要する時間を節約することができる。
【００４７】
請求項１３，２６記載の発明によれば、ＤＶＤ＋Ｒ規格に準拠し、オポジットトラックパス（ＯＴＰ）方式で記録される複数の記録層を有する光記録媒体の場合に請求項１ないし１２、１４ないし２５記載の発明を好適に適用することができる。
【発明を実施するための最良の形態】
【００４８】
本発明を実施するための最良の形態を図面に基づいて説明する。
【００４９】
［第一の実施の形態］
本発明の第一の実施の形態を図１ないし図１０を参照して説明する。図１は、本実施の形態の情報記録装置である光ディスク記録装置の構成例を示す概略ブロック図である。本実施の形態の光ディスク装置は、光記録媒体としてＤＶＤ＋Ｒ ＤＬ（Double Layer）を対象とする場合への適用例を示す。
【００５０】
まず、当該装置内に装填された光記録媒体１を回転させるスピンドルモータ２が設けられている。このスピンドルモータ２を所定の回転速度で回転させるように制御するディスク回転制御手段３が設けられている。また、半導体レーザＬＤ等のレーザ光源（図示せず）や対物レンズ４や受光素子（図示せず）等を備え、光記録媒体１に対してレーザ光を集光照射させて情報の記録や再生を行うための光ピックアップ５が光記録媒体１の半径方向にシーク移動自在に設けられている。この光ピックアップ５に対してはサーボ手段６が接続されており、光ピックアップ５はサーボ手段６によってフォーカシングサーボ、トラッキングサーボ、チルト(傾き)制御されつつ、光記録媒体１の記録膜上にレーザ光を集光させ、記録マークを形成する。また、光ピックアップ５は媒体半径方向に移動自在であるため、後述するように、光記録媒体１の所定領域に予め設けられた試し書き領域（Inner disc test zone）や、ユーザデータ領域に対してシークモータによる駆動により任意にアクセス可能とされている。さらに、光ピックアップ５中のレーザ光源、例えば半導体レーザＬＤに対してはＬＤドライバ７が接続されている。これにより、半導体レーザＬＤは、ＬＤドライバ７によって所定の記録パワー状態で発光するように、入力パルス信号で変調される。半導体レーザＬＤが、記録パワー状態とスペースパワー状態との間で変調されることで、記録膜上には記録マークとそうでないところが形成される。この記録マークは、ＤＶＤ＋Ｒのような非可逆な有機色素媒体では、ピット（穴）であり、そうでないところはスペースと呼ばれる。これを再生すると反射率の差が生じて、情報信号として再生することができる。
【００５１】
また、光ピックアップ５の受光素子の出力側にはＲＦアンプ８やウォブル検出回路９が接続されている。ＲＦアンプ８は光記録媒体１に記録された情報信号ＲＦを再生するためのものである。また、ウォブル検出回路９は、本実施の形態で対象とするＤＶＤ＋Ｒなどの光記録媒体１ではディスク面内の位置（アドレス）情報などがデータ記録前にも判るよう予め記録溝（グルーブ）に記録してある蛇行（ウォブル）信号を検出するためのものである。なお、ウォブル信号の変調方式としては、例えばＤＶＤ＋Ｒ／ＲＷでは位相変調方式、ＣＤ−Ｒ／ＲＷでは周波数変調方式などが用いられている。このウォブル検出回路９にはアドレス検出回路１０やクロック生成回路１１が接続されている。アドレス検出回路１０はウォブル検出回路９により検出されたウォブル信号からＡＤＩＰ（ADdress In Pre-groove）と呼ばれるアドレス情報を復調する。これにより、光記録媒体１面内の任意の位置に光ピックアップ５を移動させて記録、再生動作を行わせることが可能となる。なお、ＤＶＤの物理アドレスを一般にＰＳＮ（Physical Sector Number）といい、以下、アドレスのことをＰＳＮと呼ぶ。また、クロック生成回路１１はウォブル検出回路９により検出されたウォブル信号を２値化し、ＰＬＬ（Phase Lock Loop）回路により光記録媒体１上の位置に同期したクロックを生成し、コントローラ１２やエンコーダ１３に供給する。
【００５２】
ＣＰＵ、ＲＯＭ及びＲＡＭ等を含むマイクロコンピュータ構成のコントローラ１２には、エンコーダ１３の他、ＬＤドライバ７に対するパルス設定回路１４やパワー設定回路１５が接続されている。パワー設定回路１５はコントローラ１２から入力される記録パワー指令に応じてＬＤドライバ７を駆動するための記録パワー信号を出力し、パルス設定回路１４ではエンコーダ１３から与えられる記録データに従って所定パルス幅のパルス信号を出力させることで、光ピックアップ５中の半導体レーザＬＤを設定されたそのパワー、パルス幅で発光させる。また、試し書き（ＯＰＣ）処理時には試し書きモードになり、後述するように順次記録パワーを可変させる。この場合の記録データは、エンコーダ１３で所定フォーマットの符号化や変調処理がなされ、シリアル形式で記録データ列として出力される。この場合のパルス幅の設定は、固定でもよいが、線速度やディスク種別に応じてコントローラ１２によって各々に設定するのが一般的である。線速度やディスク種別による、記録マーク長毎の感度の違いを吸収できるからである。
【００５３】
さらに、ＲＦアンプ８の出力側にはβ値検出回路１６及び媒体種別判別回路１７が接続されており、その結果がコントローラ１２に与えられる。β値検出回路１６は後述する試し書き処理時の再生信号の評価処理に用いられる。また、装填された光記録媒体１の種別（製造メーカや種類など）は、光ピックアップ５で当該光記録媒体１の特定場所を再生した場合にＲＦアンプ８から得られる再生信号に基づき媒体種別判別回路１７により判別される。この媒体種別の判別は、例えば、ディスクメーカを何らかの方法で特定できれば、メーカ別にしてもよいし、同一メーカでもさらに細かく分類できればなおよい。他の媒体種別判別方式としては、例えば光記録媒体１に予め埋め込んである各種パラメータを用いることもできる。例えば、推奨パワーやパルス幅などを埋め込んである場合はそれを用いてもよい。こうすることで、同一メーカの様々な記録膜に応じて、最適なパルス幅設定(Write Strategy＝記録ストラテジと呼ばれる)が可能になる。一般に、様々なディスクメーカに対応するため光ディスク装置（ドライブ装置）は各光記録媒体毎に最適化された記録ストラテジのテーブルを不揮発性メモリ１８に保存していることが多い。
【００５４】
なお、１９は当該光ディスク装置のコントローラ１２をホスト機等に接続するための外部インタフェース（Ｉ／Ｆ）である。
【００５５】
次に、本実施の形態で用いる前提技術として、試し書き処理やＤＶＤ−Ｒ ＤＬ等について説明する。
【００５６】
試し書きは、或る記録線速度で光記録媒体１を回転させながら半導体レーザＬＤから光記録媒体１上の所定の試し書き領域に照射する記録パワーを順次変化させながら記録し、その後、記録された当該試し書き領域を再生し、この再生信号に基づき記録状態を評価し、最適な記録状態となる最適記録パワーを決定する操作で、一般には、ＯＰＣ（Optimum Power Control）と呼ばれる。図１に示したような光ディスク装置では、コントローラ１２からの指令によりパワー設定回路１５で順次記録パワーを変化させて記録することができる。試し書きを行う試し書き領域は、一般にはLead-INエリアよりも内周にあるInner Disc Test Zoneと呼ばれるＰＣＡ（Power Calibration Area）を用いるのが一般的である。試し書き領域ＰＣＡに記録後、光ピックアップ５で同じ場所を再生して再生信号ＲＦを得る。このＲＦ信号の適当なパラメータを評価することで、最適な記録状態が評価できる。例えば、β値検出回路１６ではβなるパラメータを測定する。β値検出回路１６は、ＲＦアンプ８から得られるＲＦ信号の低域成分を除去（ＡＣ結合）して、その上側包絡線レベルａと下側包絡線レベルｂとを検出する。
【００５７】
図２は、β値に関する説明図である。光記録媒体１の記録膜の特性として、記録マーク部では反射率が下がると仮定し、ＲＦ信号は低反射部で低レベルになるとする。そうすると、適正な記録状態のときＡＣ結合されたＲＦ信号は図２（ａ）に示すように上下対称で、ａ＝ｂになる。また、記録パワーが過大のときには図２（ｂ）に示すように記録マーク部が長くなるから、ＡＣ結合すると上側レベルが高くなり、ａ＞ｂになる。逆に、記録パワーが不足のときには、図２（ｃ）に示すように記録マーク部が短くなるから、ＡＣ結合すると下側レベルが高くなり、ａ＜ｂになる。このａ，ｂ間の差をＲＦ振幅ａ＋ｂで正規化した量がβ値である。即ち、
β＝（ａ−ｂ）／（ａ＋ｂ）
となる。β値が大きいとパワー過大、小さいとパワー不足である。最適記録パワーはβ値がある値（例えば、４％程度）になったときで、このときのβ値をβtargetと呼ぶ。ＯＰＣは順次記録パワーを振って記録し、記録された当該記録部のβ値を評価しβtargetとなるときの記録パワーを求める。
【００５８】
図３は、このときの記録パワーとβ値との関係を示す特性図である。図３（ａ）は、記録パワーを１０段階に可変させて試し書き記録を行う例を示している。記録パワーを振る範囲をＯＰＣレンジ、このときの基準となる中心パワーをＰindと呼ぶ。ＯＰＣレンジは中心パワーＰindに対して例えば＋３０％，−３０％の範囲で１０段階に振り、或いは、中心パワーＰindに対して＋５ｍＷ，−４ｍＷの範囲で１ｍＷずつ振る、等の方法がある。何れにしても、得られた１０点のβ値から図３（ｂ）に示すようなβカーブを曲線（２次）近似し、目標値βtargetとなる最適記録パワーＰopcを得る。ＯＰＣを実行する時点の温度変化等の条件により最適記録パワーＰopc は多少変動することもあるため、通常条件では最適記録パワーＰopc はなるべく中心パワーＰind 付近で求まる方が望ましい。また、最適記録パワーＰopc は光記録媒体１毎に異なることが多いため、各々の光記録媒体種別に対する記録ストラテジと共に設定することも多い。
【００５９】
さらに、情報を記録中において、所定の記録状態目標値と光記録媒体１からの再生信号に応じた値を比較し、比較結果に応じて最適記録パワーを修正する手段も開示されている。この手法は、いわゆる試し書きがＯＰＣ（Optimum Power Control）と称されるのに対して、記録中にリアルタイムで最適記録パワーを修正をするのでランニング試し書き（Running ＯＰＣ）と呼ばれる。Running ＯＰＣにより、記録中の媒体感度変動や、光源の波長変動などによる記録感度変動などを抑えるように、最適記録パワーを適宜修正することが可能である。
【００６０】
図４は、Running ＯＰＣに関する説明図である。図４（ｂ）は記録パルス形状を示し、実際にはマルチパルスやキャッスルストラテジなどと呼ばれる形のパルスが用いられることが多いが、ここでは最も単純な矩形波（ブロックパルス）を用いる。図４（ａ）は記録パワーで正規化した記録中のＲＦ信号波形を示す説明図である。記録パルスの立上り先頭では高反射率であるが直ぐに光記録媒体１の膜が焦げ反射率が低下する。このときの(ＲＦ)／(ＬＤレーザパワー)がある目標レベルになるように最適記録パワーを制御するのがRunningＯＰＣである。
【００６１】
また、このようなリアルタイムに記録パワーを制御するRunning ＯＰＣ方式であると制御誤差が大きすぎることが多いため、図５に示すように、記録動作中において、一旦記録動作を停止させ（ステップＳ１）、記録停止直前のβ値を実測し（Ｓ２）、得られたβ値が目標値βtargetよりも大きければ（Ｓ３のＹ）、記録パワーＰｗを所定値ΔＰｗ分だけ減らし（Ｓ４）、得られたβ値が目標値βtargetよりも大きくなければ（Ｓ３のＮ）、記録パワーＰｗを所定値ΔＰｗ分だけ増やす（Ｓ５）ように記録パワーを段階的に変更させて記録再開させる（Ｓ６）方法もある。
【００６２】
図６は、光記録媒体１として、記録層を２層持つ多層構造のＤＶＤ＋Ｒメディア、即ち、ＤＶＤ＋Ｒ ＤＬのレイアウト等に関する説明図である。なお、層構造に関して、レーザ照射方向から見て近い方の第１の記録層をLayer0、次の第２の記録層をLayer1と呼ぶものとする。
【００６３】
図６（ａ）はパラレルトラックパスＰＴＰ(Paralel Track Path)方式の片面２層（Dual Layer）のディスク(以下、「ＰＴＰディスク」という)、図６（ｂ）はオポジットトラックパスＯＴＰ(Opposite Track Path)方式の片面２層のディスク(以下、「ＯＴＰディスク」という)の場合を各々示す。
【００６４】
ＤＶＤディスクは、基本的に、リードイン領域（Lead-in Area）、データ領域（Data Area）、リードアウト領域（Lead-out Area）からなるインフォメーション領域（Information Area）を有し、ＰＴＰディスクの場合は記録層毎にインフォメーション領域を有する。ＯＴＰディスクは１つのインフォメーション領域からなり、各記録層のデータ領域の後方に中間領域（Middle Zone Area）を有する。ＰＴＰディスクのLayer0，Layer1及びＯＴＰディスクのLayer0は内周部から外周部に向けてデータの記録・再生が行われ、ＯＴＰディスクのLayer1は外周部から内周部に向けてデータの記録・再生が行われる。ＰＴＰディスクの各記録層はリードイン領域からリードアウト領域まで連続した物理アドレス（Physical Sector Number）が割り振られる。一方、ＯＴＰディスクの場合は、リードイン領域からLayer0の中間領域まで連続した物理アドレスが割り振られるが、Layer1の物理アドレスはLayer0の物理アドレスをビット反転したアドレスが割り振られ、中間領域からリードアウト領域まで物理アドレスが増加していく。つまり、Layer1におけるデータ領域の開始アドレスはLayer0における終了アドレスをビット反転したアドレスとなる。
【００６５】
即ち、記録用の案内溝のスパイラル方向でみると、ＰＴＰ方式では、図６（ａ）に示すように、Layer0, Layer1ともにスパイラル方向が内から外側に向かう（トラッキングしたまま放っておくと内から外に光ピックアップ５が移動する）のに対して、ＯＴＰ方式では、Layer0はＰＴＰ方式と同じであるが、Layer1はスパイラル方向が外側から内側に向かう(トラッキングしたまま放っておくと外から内に光ピックアップ５が移動する)こととなる。これらの２方式のうち、記録可能なＤＶＤ＋Ｒ ＤＬではＯＴＰ方式が用いられている。このＯＴＰ方式ではLayer0の内周部にリードイン領域（Lead-in Area）、Layer1の内周部にリードアウト領域（Lead-out Area）があり、外周部には各々Middle Zone Areaと呼ばれる中間領域がある。この中間領域（Middle Zone area）は、データ領域（Data Area）の端でいきなりデータがなくなると境界部のアクセス時などに問題が生じる可能性があるために設けられた緩衝領域である。ＯＰＣを行うＰＣＡ領域はリードイン領域（Lead-in Area）より内周部のInner Drive Areaの中に割り当てられている。
【００６６】
ここに、ＯＴＰ方式の場合、第１の記録層Layer0の記録は従来のＤＶＤ＋Ｒなどと同様に内周部から外周部に向けて記録していくが、第２の記録層Layer1では外周部から記録を開始し、段々と内周部に向けて記録していく。従って、内周部でＯＰＣを実行してから最外周部で記録を開始するときには最適記録パワーと乖離している場合があり得る。一般に、外周部で必要な記録パワーは大きくなるため記録パワーを加算する方向であることが多い。特に、ＤＶＤ＋Ｒ ＤＬのような２層ディスクでは単層ディスクに比べて最内周位置から最外周位置まで層全面の膜の特性を均一にすることは非常に困難である。これは特に第２の記録層Layer1で顕著であり、一般に最外周位置での記録パワーは内周部より高く必要となってくる。この要因としては、媒体の複屈折によるレーザ発光の変化、光ピックアップの非点収差の影響、媒体の反り（チルト）などがあると考えられる。
【００６７】
このような前提の下、本実施の形態の情報記録方法ないしは情報記録装置では、記録動作開始に先立ち、光記録媒体１の内周部の試し書き領域ＰＣＡに対して照射する記録パワーを段階的に可変しながら試し書きをし試し書きされたデータの再生信号に基づき最適記録パワーを求め、求められた最適記録パワーを記録開始位置に応じて補正し補正された最適記録パワーを用いて記録動作を開始させることを基本とする。
【００６８】
図７は、コントローラ１２により実行されるこのような動作制御例を示す概略フローチャートである。まず、光記録媒体１が装填されて記録動作を行おうとする際、その記録動作を行おうとする記録動作開始位置に関する情報を取得する（Ｓ１１）。引き続き、当該記録動作開始位置を有する記録層中の内周部の試し書き領域ＰＣＡにアクセスし当該試し書き領域ＰＣＡにて照射する記録パワーを段階的に可変しながら試し書きをし試し書きされたデータの再生信号ＲＦ並びにそのβ値に基づき最適記録パワーを求める処理を行う（内周ＯＰＣ実行）（Ｓ１２）。このステップＳ１２の処理が試し書き処理工程、試し書き処理手段として実行される。
【００６９】
試し書き処理後、当該記録層が第２の記録層Layer1であるか否かを判定する（Ｓ１３）。第２の記録層Layer1でなければ（Ｓ１３のＮ）、記録方向が内周部側から外周部側に向かう第１の記録層Layer0であるので、ＯＰＣ処理により求められた最適記録パワーを用いてデータ領域（Data Area）の記録開始位置から記録動作を開始させる（Ｓ１５）。一方、当該記録層が記録方向が外周部側から内周部側に向かう第２の記録層Layer1の場合には（Ｓ１３のＹ）、ＯＰＣ処理により求められた最適記録パワーを補正することで記録開始パワーを設定する処理を実行する（Ｓ１４）。ここでは、ＯＰＣ処理により求められた最適記録パワーに対して所定の記録パワー補正量を加算設定する補正処理を行う。引き続き、補正された最適記録パワーを用いて第２の記録層Layer1のデータ領域（Data Area）の最外周部位置から内周部側に向けて記録動作を開始させる（Ｓ１５）。これらのステップＳ１４，Ｓ１５の処理が記録パワー調整工程、記録パワー調整手段として実行される。よって、第２の記録層Layer1において内周部の試し書き領域ＰＣＡから離れた最外周部側から記録動作を開始させる場合でも記録動作開始時から良好なる記録品質が得られる記録動作を行わせることができる。
【００７０】
このような記録動作開始後は、前述したようなRunning ＯＰＣ処理が実行され（Ｓ１６）、光記録媒体１に照射する記録パワーをRunning ＯＰＣ処理により求められた最適記録パワーに補正しながら記録動作を継続する（Ｓ１７，Ｓ１８のＮ）。よって、記録動作開始後は光記録媒体１面内の変動に応じた最適記録パワーに徐々に補正しながら記録することで良好なる記録品質を維持することができる。ステップＳ１６の処理がランニング試し書き処理工程、ランニング試し書き処理手段として実行される。この場合のランニング試し書き処理は、前述したように、記録処理中に記録動作を行いながらリアルタイムで最適な記録パワーを求める方式でも、図５に示したように記録処理中に一旦記録動作を止めながら最適な記録パワーを求める方式でもよい。
【００７１】
ところで、第２の記録層Layer1のデータ領域（Data Area）の最外周部位置から内周部側に向けて記録動作を開始させる場合であれば、上述の説明の処理制御でよいが、実際には第２の記録層Layer1のデータ領域（Data Area）の途中から記録動作を開始させる場合も多い。セッション（Session）をクローズせずに追記する場合やディスク領域を一杯に使わない容量のデータを一気書きする場合などがこれに当る。このような場合、最外周部位置から書き始める場合に比べ、内周部の試し書き領域ＰＣＡで得られた最適記録パワーに対する補正量は小さくてよいため、ステップＳ１４の処理で設定する記録開始パワーの補正量を最外周部位置の場合とは異ならせるようにすればよい。即ち、記録開始する半径位置に応じて加算する記録パワーの補正量を変更すればよい。
【００７２】
なお、この方式の場合、記録動作開始後の記録パワーの処理制御としては、前述したようなRunning ＯＰＣに従って記録パワーの制御を行うようにしてもよいが、Running ＯＰＣは行わず記録する箇所の半径位置によって予め決められたパワープロファイルに従ってパワー制御を行うようにしてもよい。
【００７３】
記録開始位置での記録パワーの補正変更方法としては、記録する箇所の半径位置によって線形近似（直線近似）する方法がある。図８は、このときの記録開始位置での記録パワーを直線近似に従い求めるための説明図である。図８において、Ｒin：最内周半径、Ｒout：最外周位置、ｒ：記録開始する半径位置、Ｐopc：内周部での試し書き領域ＰＣＡでのＯＰＣ処理により求められた最適記録パワー、ｄＰw(ｒ)：半径位置に応じた記録パワーの補正量、ｄＰw0：予め決められたパワープロファイルに従う最外周半径位置での記録パワーの補正量とすると、記録動作を開始する半径位置rに応じた記録パワーＰw(ｒ)は、
Ｐw(ｒ)＝Ｐopc＋ｄＰw(ｒ)
＝Ｐopc＋ｄＰw0／（Ｒout−Ｒin）＊ｒ
なる直線近似により求めることができる。
【００７４】
しかし、実際にはこのような記録パワーの補正処理は、外周部側の特定の領域に記録を行う場合のみ必要であることが多い。そこで、このような点を考慮した場合には、図９の概略フローチャート中に示すように、記録開始する半径位置rが所定の半径位置Ｒ１より外周側に位置しているか否かを判定し（Ｓ１９）、所定の半径位置Ｒ１よりも内周側の場合には（Ｓ１９のＮ）、ＯＰＣ処理により求められた最適記録パワーをそのまま用いて記録動作を開始させ（Ｓ１５）、所定の半径位置Ｒ１よりも外周側の場合のみ（Ｓ１９のＹ）、ＯＰＣ処理により求められた最適記録パワーに対して補正処理を施す（Ｓ１４）ようにしてもよい。この方式によれば、不必要な記録パワー補正を避けつつ、任意の記録開始位置から良好な記録品質を得ることができる。
【００７５】
図１０は、このときの記録開始位置での記録パワーを部分的な直線近似に従って求めるための説明図である。即ち、図１０において、Ｒ１＝４２ｍｍとした場合、
Ｐw(ｒ)＝Ｐopc＋ｄＰw(ｒ)
ｄＰw(ｒ)＝０    （ｒ＜４２ｍｍの場合）
＝（ｄＰw0／（Ｒout−Ｒ１））＊（ｒ−Ｒ１）    （ｒ≧４２ｍｍの場合）
となる。
【００７６】
また、このような記録パワーの補正量の最適値（予め決められたパワープロファイル）は、媒体種別（ディスクメーカやディスク種類など）によって異なっている場合がある。そこで、媒体種別に応じて記録パワーの補正量の最適値（予め決められたパワープロファイル）を予め記録ストラテジのテーブルの一つとして保存させておき、記録動作時には、装填された光記録媒体１の種別を媒体種別判別回路１７により判別し、ステップＳ１４の記録パワー補正時に記録ストラテジのテーブルを参照することでその媒体種別に応じた記録パワーの補正量の最適値（予め決められたパワープロファイル）を取得することで、光記録媒体１の種別に応じて記録パワーの補正量を可変させるようにしてもよい。これによれば、記録対象となる光記録媒体１の種別に応じて最適な記録パワーで記録開始位置からの記録動作を行わせることができ、良好なる記録品質を得ることができる。
【００７７】
さらには、このような記録パワーの補正量の最適値（予め決められたパワープロファイル）は、光ディスク装置毎のばらつきもあり、これは主に光ピックアップ５のばらつきによることが多い。そこで、光ディスク装置毎にその製造段階において調整を行い、光ディスク装置毎の調整結果による記録パワーの補正量の最適値（予め決められたパワープロファイル）のパラメータを不揮発性メモリ１８に保存しておき、記録動作時には、ステップＳ１４の記録パワー補正時に不揮発性メモリ１８に保存されている当該光ディスク装置用の記録パワーの補正量の最適値（予め決められたパワープロファイル）を取得することで、光ディスク装置に応じて記録パワーの補正量を可変させるようにしてもよい。これによれば、光ディスク装置毎のばらつきを吸収し、良好な記録品質を得ることができる。
【００７８】
［第二の実施の形態］
本発明の第二の実施の形態を図１１ないし図１３を参照して説明する。第一の実施の形態で示した部分と同一部分は同一符号を用いて示し、説明も省略する。本実施の形態は、基本的には第一の実施の形態に準ずるが、例えば、図６（ｂ）に示すＯＴＰ方式のＤＶＤ＋Ｒ ＤＬにおいて、内周にあるInner Disc Test Zoneと呼ばれる試し書き領域ＰＣＡ（Power Calibration Area）だけでなく、中間領域（Middle Zone Area）よりも外側にあるOuter Disc Test Zoneと呼ばれる試し書き領域ＰＣＡ（Power Calibration Area）も併用し、内外周間で必要な最適記録パワーの補正量を実測するようにしたものである。
【００７９】
図１１は、コントローラ１２により実行される動作制御例を示す概略フローチャートである。まず、光記録媒体１が装填されて記録動作を行おうとする際、その記録動作を行おうとする記録動作開始位置に関する情報を取得する（Ｓ２１）。引き続き、当該記録動作開始位置を有する記録層中の内周部の試し書き領域ＰＣＡにアクセスし当該試し書き領域ＰＣＡにて照射する記録パワーを段階的に可変しながら試し書きをし試し書きされたデータの再生信号ＲＦ並びにそのβ値に基づき最適記録パワーを求める処理を行う（内周部ＯＰＣ実行）（Ｓ２２）。さらに、当該記録動作開始位置を有する記録層中の外周部の試し書き領域ＰＣＡにアクセスし当該試し書き領域ＰＣＡにて照射する記録パワーを段階的に可変しながら試し書きをし試し書きされたデータの再生信号ＲＦ並びにそのβ値に基づき最適記録パワーを求める処理を行う（外周部ＯＰＣ実行）（Ｓ２３）。これらのステップＳ２２，Ｓ２３の処理が試し書き処理工程、試し書き処理手段として実行される。
【００８０】
試し書き処理後、当該記録層が第２の記録層Layer1であるか否かを判定する（Ｓ２４）。第２の記録層Layer1でなければ（Ｓ２４のＮ）、記録方向が内周部側から外周部側に向かう第１の記録層Layer0であるので、内周部ＯＰＣ処理により求められた最適記録パワーを用いてデータ領域（Data Area）の記録開始位置から記録動作を開始させる（Ｓ２６）。一方、当該記録層が記録方向が外周部側から内周部側に向かう第２の記録層Layer1の場合には（Ｓ２４のＹ）、内周部ＯＰＣ処理により求められた最適記録パワーについて外周部ＯＰＣ処理により求められた最適記録パワーを参照して補正することで記録開始パワーを設定する処理を実行する（Ｓ２５）。この処理については後述する。引き続き、補正された最適記録パワーを用いて第２の記録層Layer1のデータ領域（Data Area）中の記録開始位置から内周部側に向けて記録動作を開始させる（Ｓ２６）。これらのステップＳ２５，Ｓ２６の処理が記録パワー調整工程、記録パワー調整手段として実行される。
【００８１】
このような記録動作開始後は、前述したようなRunning ＯＰＣ処理が実行され（Ｓ２７）、光記録媒体１に照射する記録パワーをRunning ＯＰＣ処理により求められた最適記録パワーに補正しながら記録動作を継続する（Ｓ２８，Ｓ２９のＮ）。よって、記録動作開始後は光記録媒体１面内の変動に応じた最適記録パワーに徐々に補正しながら記録することで良好なる記録品質を維持することができる。ステップＳ２７の処理がランニング試し書き処理工程、ランニング試し書き処理手段として実行される。この場合のランニング試し書き処理は、前述したように、記録処理中に記録動作を行いながらリアルタイムで最適な記録パワーを求める方式でも、図５に示したように記録処理中に一旦記録動作を止めながら最適な記録パワーを求める方式でもよい。
【００８２】
ステップＳ２５における記録開始位置での記録パワーの補正変更方法としては、記録する箇所の半径位置によって線形近似（直線近似）する方法を用いることができる。図１２は、このときの記録開始位置での記録パワーを直線近似に従い求めるための説明図である。図１２において、Ｒin：最内周半径、Ｒout：最外周位置、ｒ：記録開始する半径位置、Ｐopc（内周）：内周部での試し書き領域ＰＣＡでのＯＰＣ処理により求められた最適記録パワー、Ｐopc（外周）：外周部での試し書き領域ＰＣＡでのＯＰＣ処理により求められた最適記録パワー、ｄＰw(ｒ)：半径位置に応じた記録パワーの補正量、ｄＰw0：最外周半径位置で必要となる記録パワーの補正量とすると、記録動作を開始する半径位置rに応じた記録パワーＰw(ｒ)は、
Ｐw(ｒ)＝Ｐopc（内周）＋ｄＰw(ｒ)
＝Ｐopc（内周）＋｛Ｐopc（外周）−Ｐopc（内周）｝／（Ｒout−Ｒin）＊ｒ
＝Ｐopc（内周）＋ｄＰw0／（Ｒout−Ｒin）＊ｒ
なる直線近似により求めることができる。
【００８３】
しかし、実際にはこのような記録パワーの補正処理は、外周部側の特定の領域に記録を行う場合のみ必要であることが多い。そこで、このような点を考慮した場合には、図９に示した概略フローチャートの場合と同様に、記録開始する半径位置rが所定の半径位置Ｒ１より外周側に位置しているか否かを判定し、所定の半径位置Ｒ１よりも内周側の場合には、内周ＯＰＣ処理により求められた最適記録パワーをそのまま用いて記録動作を開始させ、所定の半径位置Ｒ１よりも外周側の場合のみ、内周ＯＰＣ処理により求められた最適記録パワーに対して外周ＯＰＣ処理により求められた最適記録パワーを参照して補正処理を施すようにしてもよい。この方式によれば、不必要な記録パワー補正を避けつつ、任意の記録開始位置から良好な記録品質を得ることができる。
【００８４】
図１３は、このときの記録開始位置での記録パワーを部分的な直線近似に従って求めるための説明図である。即ち、図１３において、
Ｐw(ｒ)＝Ｐopc（内周）＋ｄＰw(ｒ)
ｄＰw(ｒ)＝０    （ｒ＜Ｒ１の場合）
＝（｛Ｐopc（外周）−Ｐopc（内周）｝／（Ｒout−Ｒ１））＊（ｒ−Ｒ１）
＝（ｄＰw0／（Ｒout−Ｒ１））＊（ｒ−Ｒ１）    （ｒ≧Ｒ１の場合）
となる。
【００８５】
ところで、このような記録パワーの補正処理について、記録動作を開始する位置が、第２の記録層Layer1のデータ領域（Data Area）の最外周位置である場合には（Ｓ３０のＹ）、ステップＳ２２の内周ＯＰＣ処理を実行せず、ステップＳ２３の外周ＯＰＣ処理のみ実行させ、ステップＳ２５の記録開始パワー設定処理では当該外周ＯＰＣ処理で求められた最適記録パワーをそのまま用いて記録パワーを設定し、記録動作を開始させる（Ｓ２６）。これによれば、記録開始位置とＯＰＣ処理位置とが隣接しているため求められた最適記録パワーを記録開始パワーとしてそのまま用いても支障がなく、よって、記録開始位置が最外周位置の場合には内周部に位置する試し書き領域での試し書き処理を行わない分、試し書き処理に要する時間を節約することができる。
【図面の簡単な説明】
【００８６】
【図１】本発明の第一の実施の形態の情報記録装置である光ディスク記録装置の構成例を示す概略ブロック図である。
【図２】β値に関する説明図である。
【図３】記録パワーとβ値との関係を示す特性図である。
【図４】Running OPCに関する説明図である。
【図５】一旦停止を伴うRunning ＯＰＣ方式の処理例を示す概略フローチャートである。
【図６】ＤＶＤ＋Ｒ ＤＬのレイアウト等に関する説明図である。
【図７】コントローラにより実行される動作制御例を示す概略フローチャートである。
【図８】記録開始位置での記録パワーを直線近似に従い求めるための説明図である。
【図９】変形例を示す概略フローチャートである。
【図１０】記録開始位置での記録パワーを部分的な直線近似に従って求めるための説明図である。
【図１１】本発明の第二の実施の形態のコントローラにより実行される動作制御例を示す概略フローチャートである。
【図１２】記録開始位置での記録パワーを直線近似に従い求めるための説明図である。
【図１３】記録開始位置での記録パワーを部分的な直線近似に従って求めるための説明図である。
【符号の説明】
【００８７】
１      光記録媒体
１７      不揮発性メモリ
【図１】
2006127593.tif 000003
【図２】
2006127593.tif 000004
【図３】
2006127593.tif 000005
【図４】
2006127593.tif 000006
【図５】
2006127593.tif 000007
【図６】
2006127593.tif 000008
【図７】
2006127593.tif 000009
【図８】
2006127593.tif 000010
【図９】
2006127593.tif 000011
【図１０】
2006127593.tif 000012
【図１１】
2006127593.tif 000013
【図１２】
2006127593.tif 000014
【図１３】
2006127593.tif 000015